(57)【要約】【課題】  例えば、安定した拭取り性能、小型、およびメンテナンス性の点で有利なワイパー装置を提供することである。【解決手段】  ワイパー装置は、ワイパーブレードと、拭取り対象面に沿った方向の第１軸の周りに前記ワイパーブレードを傾動可能に支持する支持部材と、前記支持部材を支持するアームと、前記拭取り対象面に交差する方向の第２軸の周りに前記アームを回転する駆動部と、を有し、前記支持部材は、前記アームに支持された状態で、前記ワイパーブレードを着脱可能な構造を有する、ことを特徴とする。【選択図】  図１
2020167562.tif 000002
【特許請求の範囲】
【請求項１】
ワイパーブレードと、
拭取り対象面に沿った方向の第１軸の周りに前記ワイパーブレードを傾動可能に支持する支持部材と、
前記支持部材を支持するアームと、
前記拭取り対象面に交差する方向の第２軸の周りに前記アームを回転する駆動部と、
を有し、
前記支持部材は、前記アームに支持された状態で、前記ワイパーブレードを着脱可能な構造を有する、
ことを特徴とするワイパー装置。
【請求項２】
前記ワイパーブレードは、前記第１軸を有し、
前記支持部材は、前記構造として、Ｌ字型の切欠きを形成されていることを特徴とする請求項１に記載のワイパー装置。
【請求項３】
前記支持部材は、前記構造として、互いの間隔が可変な第１部分と第２部分とを含んでいることを特徴とする請求項１に記載のワイパー装置。
【請求項４】
前記アームと協働してリンク機構を構成して前記ワイパーブレードの角度を規制するサブアームを有することを特徴とする請求項１ないし請求項３のうちいずれか１項に記載のワイパー装置。
【請求項５】
前記第１軸の方向は、前記ワイパーブレードの長手方向および前記第２軸の方向に対して垂直であることを特徴とする請求項１に記載のワイパー装置。
【請求項６】
請求項１ないし請求項５のうちいずれか１項に記載のワイパー装置を有することを特徴とするレンズ装置。
【請求項７】
前記ワイパー装置の拭取り対象面を含むフィルター部材を有することを特徴とする請求項６に記載のレンズ装置。
【請求項８】
請求項６または請求項７に記載のレンズ装置と、
前記レンズ装置の像面に配された撮像素子と、
を有することを特徴とする撮像装置。
【請求項９】
請求項１ないし請求項５のうちいずれか１項に記載のワイパー装置を有することを特徴とするハウジング装置。
【請求項１０】
請求項９に記載のハウジング装置と、
前記ハウジング装置に収容されたレンズ装置と、
前記ハウジング装置に収容され、前記レンズ装置の像面に配された撮像素子と、
を有することを特徴とする撮像装置。
【発明の詳細な説明】
【技術分野】
【０００１】
本発明は、ワイパー装置、レンズ装置、ハウジング装置、および撮像装置に関するものである。
【背景技術】
【０００２】
レンズ装置や撮影装置、またはそのハウジング装置は、保護ガラス面に付着した雨水等を拭取るためのワイパー装置が設けられている。レンズ装置に設けられたワイパー装置は、レンズ有効径を一辺の長さとする略四角形状の拭取り範囲を有するため、ワイパーブレードの角度を一定に保った状態で広範囲を揺動する４節リンク機構を含む平行拭取り方式が採用されている。また、放送用途のワイパー装置には、取得される映像に異物が映り込まないように高い拭取り性能が求められる。
【０００３】
４節リンク機構は、アームとワイパーブレードとは複数の回転軸を有するため、設置時の位置調整の自由度が高く、安定した拭取り性能を得るためには、調整に多くの工数を要する。そのため、必要な拭取り性能を得ることを目的として、ワイパーブレードを払拭面に対して付勢するワイパー装置や、アームに対してワイパーブレードが回動するワイパー装置が知られている。
【０００４】
特許文献１は、スプリングによってアーム部材が払拭面に対して付勢され、その結果、ワイパーブレードが払拭面に対して付勢されている構造を開示している。
【０００５】
特許文献２は、払拭面に平行な面内でワイパーブレードがアームに対して回動可能に支持され、ハウジング部によってワイパーブレードの角度が規制される構造を開示している。
【先行技術文献】
【特許文献】
【０００６】
【特許文献１】特開２００９−６１８３９号公報
【特許文献２】実開平３−５９７７６号公報
【発明の概要】
【発明が解決しようとする課題】
【０００７】
特許文献１の構造は、アーム部は、構造が複雑かつ大型になってしまう。特許文献２の構造は、ワイパーブレードがアーム部に対して着脱できないため、メンテナンス性が悪い。
【０００８】
本発明の目的は、例えば、安定した拭取り性能、小型、およびメンテナンス性の点で有利なワイパー装置を提供することである。
【課題を解決するための手段】
【０００９】
上記目的を達成するために、本発明のワイパー装置は、ワイパーブレードと、拭取り対象面に沿った方向の第１軸の周りに前記ワイパーブレードを傾動可能に支持する支持部材と、前記支持部材を支持するアームと、前記拭取り対象面に交差する方向の第２軸の周りに前記アームを回転する駆動部と、を有し、前記支持部材は、前記アームに支持された状態で、前記ワイパーブレードを着脱可能な構造を有する、ことを特徴とする。
【発明の効果】
【００１０】
本発明によれば、例えば、安定した拭取り性能、小型、およびメンテナンス性の点で有利なワイパー装置を提供することができる。
【図面の簡単な説明】
【００１１】
【図１】第１の実施例によるワイパー装置の要部斜視図
【図２】第１の実施例のワイパー装置の要部分解斜視図
【図３】第１の実施例のワイパー装置の往復動作を表す図
【図４】図３（ａ）のＡ−Ａ断面図
【図５】第１の実施例によるワイパーブレード１０１ｂの拭取り性能向上効果を表す図
【図６】第１の実施例におけるワイパーブレード１０１ｂの着脱を表す図
【図７】第２の実施例によるワイパー装置の要部斜視図
【図８】第２の実施例のワイパー装置の要部分解斜視図
【図９】第２の実施例におけるワイパーブレード１０１ｂの着脱を表す図
【発明を実施するための形態】
【００１２】
以下に、本発明の好ましい実施の形態を、添付の図面に基づいて詳細に説明する。
図１は、本発明の実施形態にかかわるワイパー装置である。
【実施例１】
【００１３】
以下、図１〜図６を参照して、本発明の第１の実施例による、ワイパー装置について説明する。
【００１４】
（構成）
図１に基づいてワイパー装置の全体構成について説明する。
図１は本発明の第１の実施例によるワイパー装置が設置された撮像装置（レンズ装置＋カメラ装置）用ハウジング装置の要部斜視図である。撮像装置は、ワイパー部（ワイパー装置）１０１と、ハウジング部１０２及び撮像装置１０３から構成される。ワイパー部１０１はアーム部１０１ａ及びワイパーブレード１０１ｂから構成される。ハウジング部１０２には撮像装置が収容されている。撮像装置のレンズ装置の最も物体側の光学面は、ハウジング部１０２の開口部にハウジング部１０２の内側から位置決めされ、この状態での該光学面（払拭面１０３ａ）が図１に示されている。レンズ装置は、ワイパー装置の拭取り対象面を含むフィルター部材を有するように構成しても良い。
【００１５】
図２〜図４に基づいてアーム部１０１ａ及びワイパーブレード１０１ｂの詳細な構成について説明する。
【００１６】
図２は本実施例のワイパー装置の要部分解斜視図である。図３は本実施例のワイパー装置の往復動作を表す図である。図４は図３（ａ）のＡ−Ａ断面図である。
【００１７】
アーム部１０１ａは、モーター（回転駆動部）１、アーム保持板（固定部）２、メインアーム３、固定ネジ４、Ｅリング５、サブアーム６、Ｅリング７、固定ネジ８、Ｅリング９、ブレード支持板１０によって構成される。ハウジング部１０２にはモーター１及びアーム保持板２が固定される。モーター１の、拭取り対象面に交差する方向の回動軸（第２軸）には、メインアーム３がアーム保持板２を介して、揺動（回転）可能に接続される。
【００１８】
アーム保持板２には、サブアーム６がＥリング７により、回転可能に支持される。ブレード支持板１０は、回転可能な摺動部を有する固定ネジ４及びＥリング５により、メインアーム３に回転可能に支持される。ブレード支持板（支持部材）１０は回転可能な摺動部を有する固定ネジ８及びＥリング９により、サブアーム６に回転可能に支持される。
【００１９】
メインアーム３の一端側で回転可能に支持されたブレード支持板１０が、メインアーム３の弾性力によって払拭面側に付勢されるように、メインアーム３の他端側がモーター１の回動シャフトに固定されている。サブアーム６のアーム保持板２への回転可能な保持については、ブレード支持板１０に対してメインアーム３と協働して平行リンク機構を構成できるようにすればよい。また、メインアーム３によるブレード支持板１０の払拭面側への付勢に加えてサブアーム６によってもブレード支持板１０を払拭面側へ付勢するように、サブアーム６のブレード支持板１０への軸支機構を構成してもよい。
【００２０】
ワイパーブレード１０１ｂはワイパーゴム１１及びワイパーゴム保持板１２、回転軸１３、回転軸１４によって構成される。ワイパーゴム１１はワイパーゴム保持板１２に保持される。回転軸１３、回転軸１４はワイパーゴム保持板１２の長手方向の略中央部において同軸上に配置されるように固定される。
【００２１】
ブレード支持板１０には、モーター１の回転軸に平行な平面内に形成されたＬ字型の着脱溝（切欠き）１０ａ及び着脱溝（切欠き）１０ｂを有する。回転軸（第１軸）１３及び回転軸（第１軸）１４が着脱溝１０ａ及び着脱溝１０ｂに嵌ることでワイパーブレード１０１ｂはブレード支持板１０に回転可能（傾動可能）に保持される。ワイパーブレード１０１ｂは、ブレード支持板１０に対し、モーター１の回転軸に対して垂直な方向であって、ワイパーブレード１０１ｂの長手方向に対して垂直な方向を軸として回転可能に支持されるように構成される。
【００２２】
以上の構成により、図示されない制御部からモーター１に動作信号が与えられると、モーター１と連動してメインアーム３が揺動する。すると、サブアーム６も揺動し、ワイパーブレード１０１ｂの角度を規制する。それにより、ワイパーブレード１０１ｂはアーム部１０１ａを介して、図３の（ａ）→（ｂ）→（ｃ）→（ｂ）→（ａ）の順に角度を保ったまま往復動作を行いレンズ部１０３の払拭面１０３ａに付着した異物をワイパーゴム１１の払拭部１１ａにより、拭取る。
【００２３】
（動作及び効果）
図５〜図６に基づいてワイパー部１０１の拭取り性能及びメンテナンス性の向上効果について説明する。図５は本実施例によるワイパーブレード１０１ｂの拭取り性能向上効果を表す図である。（ａ）はワイパーブレード１０１ｂがブレード支持板１０に回転可能に保持されない場合、（ｂ）はブレード支持板１０に回転可能に保持される場合のワイパーブレード１０１ｂの動きを表す。図６は本実施例におけるワイパーブレード１０１ｂの着脱を表す図である。
【００２４】
例えば、ワイパーゴム１１の払拭部１１ａと払拭面１０３ａの接触部に対して、任意の位置でかかる力をＦ１、他の任意の位置でかかる力をＦ２とする。図５の（ａ）のようにワイパーブレード１０１ｂがブレード支持板１０に回転可能に保持されない場合、ワイパーブレード１０１ｂの押付圧は長手方向において一定にならない。そのため、レンズ部１０３の払拭面１０３ａにかかる力は、ワイパーゴム１１の払拭部１１ａとの接触位置に応じて異なり、Ｆ１＜Ｆ２またはＦ２＜Ｆ１となり、異物の拭取り性能が低下する可能性がある。
【００２５】
そこで、図５（ｂ）のようにワイパーブレード１０１ｂに回転軸１３及び回転軸１４を持ち、ブレード支持板１０に対して回転可能に保持されることで、ワイパーブレード１０１ｂは、回転軸を中心に回転し、常にＦ１＝Ｆ２となる。そのため、払拭面１０３ａに対して、均一な押付圧となるため、拭取り性能を安定させることが可能となる。
【００２６】
また、Ｌ字型の着脱溝（切欠き）１０ａ及び着脱溝（切欠き）１０ｂにワイパーブレード１０１ｂを嵌めている。このため、アーム部１０１ａを払拭面１０３ａから離れる方向に弾性力に抗して撓ませ、図６の（ａ）→（ｂ）→（ｃ）の順にワイパーブレード１０１ｂをアーム部１０１ａから取り外す（支持を解除する）ことができる。これにより、ワイパーゴム１１の交換の際に、アーム部１０１ａをハウジング部１０２から取り外すことがないため、メンテナンスのたびにアーム部１０１ａを調整する必要がなくなる。
【００２７】
このように本発明のワイパー装置は、ワイパーブレード１０１ｂに回転軸を有し、ワイパーブレード１０１ｂを着脱可能にすることで、安定した拭取り性能を実現し、かつメンテナンス性を向上させることができる。
【実施例２】
【００２８】
以下、図７〜図９を参照して、本発明の第２の実施例による、ワイパー装置について説明する。
【００２９】
（構成及び効果）
図７に基づいてワイパー装置の全体構成について説明する。
図７は本発明の第２の実施例によるワイパー装置の要部斜視図である。本実施例は第１の実施例と比較して、ワイパーブレード１０１ｂの保持構造のみ異なる構成となっている。ワイパー装置はワイパー部２０１とハウジング部１０２及びレンズ部１０３から構成される。ワイパー部２０１はアーム部２０１ａ及びワイパーブレード１０１ｂから構成される。
【００３０】
図８に基づいてアーム部２０１ａの詳細な構成について説明する。
図８は本実施例のワイパー装置の要部分解斜視図である。
【００３１】
アーム部２０１ａは、モーター１、アーム保持板２、メインアーム３、固定ネジ４、Ｅリング５、サブアーム６、Ｅリング７、固定ネジ８、Ｅリング９、ブレード支持板２０、固定板２１、固定ネジ２２によって構成される。ハウジング部１０２には、モーター１及びアーム保持板２が固定される。モーター１の先端には、メインアーム３がアーム保持板２を介して、揺動可能に保持される。
【００３２】
アーム保持板２には、サブアーム６がＥリング７により、回転可能に保持される。ブレード支持板２０は、回転可能な摺動部を有する固定ネジ４及びＥリング５により、メインアーム３に回転可能に保持される。ブレード支持板２０は回転可能な摺動部を有する固定ネジ８及びＥリング９により、サブアーム６に回転可能に保持される。固定板２１は長穴２１ａを有し、摺動部を有する固定ネジ２２によって、ブレード支持板２０にスライド可能に保持される。
【００３３】
ブレード支持板２０及び固定板２１は、それぞれ着脱穴（第１部分）２０ａ及び着脱穴（第２部分）２１ｂを有する。回転軸１３及び回転軸１４が着脱穴２０ａ及び着脱穴２１ｂに嵌ることでワイパーブレード１０１ｂは、ブレード支持板２０及び固定板２１に回転可能に保持される。
【００３４】
以上の構成により、図示されない制御部からモーター１に動作信号が与えられると、モーター１と連動してメインアーム３が揺動する。すると、サブアーム６も揺動し、ワイパーブレード１０１ｂの角度を規制する。それにより、ワイパーブレード１０１ｂはアーム部１０１ａを介して、図３の（ａ）→（ｂ）→（ｃ）→（ｂ）→（ａ）の順に角度を保ったまま往復動作を行いレンズ部１０３の払拭面１０３ａに付着した異物をワイパーゴム１１の払拭部１１ａにより、拭取る。
【００３５】
（動作及び効果）
図９に基づいてワイパー部２０１の拭取り性能及びメンテナンスの向上効果について説明する。図９は本実施例におけるワイパーブレード１０１ｂの着脱を表す図である。
【００３６】
ワイパーブレード１０１ｂに回転軸１３及び回転軸１４を持ち、ブレード支持板２０及び固定板２１に対して回転可能に保持されることで、第１の実施例と同様に、拭取り性能を安定させることが可能となる。
【００３７】
また、図９の（ａ）→（ｂ）→（ｃ）の順に示すように、支持板２０の着脱穴２０ａと固定板２１の着脱穴２１ｂの間隔は可変であり、固定板２１をスライドさせることで着脱穴２０ａと着脱穴２１ｂの間隔を広げ、ワイパーブレード１０１ｂをアーム部２０１ａから取り外すことができる。これにより、ワイパーゴム１１の交換の際に、アーム部２０１ａをハウジング部１０２から取り外すことがないため、メンテナンスのたびにアーム部２０１ａを調整する必要がなくなる。
【００３８】
このように本発明のワイパー装置は、ブレード支持板２０及び固定板２１がそれぞれ着脱穴２０ａ及び着脱穴２１ｂを有し、ワイパーブレード１０１ｂを着脱可能にすることで、安定した拭取り性能を実現し、かつメンテナンス性を向上させることができる。
【００３９】
実施例１の構成に実施例２の固定板２１及び固定ネジ２２の構成を組み合わせ、実施例１の構成の上に、ワイパーゴム１１の交換時の作業性の向上・簡易化、および振動や風などの外力が加わった場合にもより確実なワイパーブレード１０１ｂの支持を実現することができる。
【００４０】
本発明のレンズ装置と、レンズ装置の像面に配された撮像素子と、を有する撮像装置を構成することにより、本発明の効果を奏する撮像装置を実現することができる。
【００４１】
以上、本発明の好ましい実施形態について説明したが、本発明はこれらの実施形態に限定されず、その要旨の範囲内で種々の変形及び変更が可能である。
【符号の説明】
【００４２】
１０１  ・・・・  ワイパー部
１０１ａ  ・・・・  アーム部
１０１ｂ  ・・・・  ワイパーブレード
１  ・・・・  モーター（駆動部）
３  ・・・・  メインアーム
１０  ・・・・  ブレード支持板（支持部材）
１３、１４  ・・・・  回転軸
【図１】
2020167562.tif 000003
【図２】
2020167562.tif 000004
【図３】
2020167562.tif 000005
【図４】
2020167562.tif 000006
【図５】
2020167562.tif 000007
【図６】
2020167562.tif 000008
【図７】
2020167562.tif 000009
【図８】
2020167562.tif 000010
【図９】
2020167562.tif 000011